(57)【特許請求の範囲】
【請求項１】
（ａ）最大３００ｎｍまで凝集する直径が７〜４０ｎｍの一次粒径を有するヒュームドアルミナ粒子およびポリマーバインダー、ここで前記ポリマーバインダー：前記ヒュームドアルミナ粒子の質量比は１：２０〜１：５である、
（ｂ）少なくとも２０モル％のカチオン性媒染剤モノマーを含む水不溶性のカチオン性ポリマー粒子を含んで成る多孔性画像受容層を上に有する支持体を含んで成るインクジェット記録要素。
【発明の詳細な説明】
【０００１】
【発明の属する技術分野】
本発明は、多孔性インクジェット記録要素及びその要素を用いた印刷方法に関する。
【０００２】
【従来の技術】
典型的なインクジェット記録又は印刷システムにおいては、インク液滴が、記録要素又は媒体に向かってノズルから高速で噴射され、媒体上に画像を生ずる。インク液滴（又は記録液体）は、一般に、染料又は顔料などの記録薬剤及び大量の溶媒を含んでなる。溶媒（又はキャリア液体）は、一般的に、水及び有機材料（一価アルコール、多価アルコール又はそれらの混合物等）などから作られている。
【０００３】
インクジェット記録要素は、一般的に、少なくとも一方の表面にインク受容層又は画像受容層を担持している支持体を含んでなり、反射させて見ることを意図するもの（不透明支持体を有する）、及び透過光によって見ることを意図するもの（透明支持体を有する）が含まれる。
【０００４】
インクジェット記録要素の重要な特性は、印刷後に迅速に乾燥する必要があるということである。このため、効率良く液体インクを含有するために十分な厚みと細孔容量とを有する限りは、ほとんど瞬時の乾燥を提供する多孔性記録要素が開発されている。例えば、キャストコーティングによって多孔性記録要素を製造することができ、そこでは粒状物を含有するコーティングを支持体に適用し、磨かれた平滑な表面と接触させて乾燥させる。
【０００５】
多孔性記録要素を染料系インクを使って印刷すると、染料分子がこのコーティング層に浸透する。しかし、そのような多孔性記録要素に関しては、印刷された画像の光学濃度が好ましいものよりも低いという問題点がある。この低い光学濃度は、染料分子が多孔層内に浸透し過ぎることにより生じる光散乱のためであると考えられる。
【０００６】
欧州特許出願公開公報第1,002,660号は、微粒子、親水性バインダー及び水溶性、カチオン性ポリマーを含んで成る多孔性インクジェット記録要素に関する。しかし、この要素に関しては、水溶性カチオン性ポリマーを用いるそのような要素に印刷された画像の濃度が好ましいものよりも低いという問題点がある。
【０００７】
米国特許第6,089,704号は、カチオン性ビニルラテックス及び親水性ポリマーを含んで成る非多孔性のインクジェット記録要素に関する。しかし、この非多孔性記録要素に関しては、そこに印刷された画像の乾燥が非常に遅いという問題点がある。
【０００８】
米国特許第6,096,469号は、中位の多孔性粒子が有機バインダーに分散されているインクジェット記録要素に関する。その明細書の第８欄には、この有機バインダーは、「テトラアミノまたは第四級アンモニウム官能性」を有する共重合性モノマーを１０モル％未満有するカチオン性ラテックスポリマーとなることができると開示されている。しかし、この要素に関しては、１０モル％未満のカチオン性媒染剤官能性を有するバインダーを用いるそのような要素に印刷された画像の濃度が好ましいものよりも低いという問題点がある。
【０００９】
【発明が解決しようとする課題】
本発明の目的は、染料系インクで印刷して、優れた光学濃度、良好な画質を提供し、他を上回る乾燥時間を有する多孔性インクジェット記録要素を提供することである。
本発明のもう一つの目的は、上記要素を用いた印刷法を提供することである。
【００１０】
【課題を解決するための手段】
上記目的を、
（ａ）最大３００ｎｍまで凝集する直径が７〜４０ｎｍの一次粒径を有するヒュームドアルミナ粒子およびポリマーバインダー、ここで前記ポリマーバインダー：前記ヒュームドアルミナ粒子の質量比は１：２０〜１：５である、
（ｂ）少なくとも２０モル％のカチオン性媒染剤モノマーを含む水不溶性のカチオン性ポリマー粒子
を含んで成る多孔性画像受容層を上に有する支持体を含んで成るインクジェット記録要素である本発明に従って達成する。
【００１１】
本発明を用いることによって、染料系インクで印刷した場合に、優れた光学濃度、良好な画質を提供し、他を上回る乾燥時間を有する多孔性インクジェット記録要素が得られる。
【００１２】
本発明のもう一つの態様は、
Ａ）デジタルデータ信号に応答するインクジェットプリンターを用意すること、
Ｂ）上述のインクジェット記録要素を前記プリンターに搭載すること、
Ｃ）インクジェットインク組成物を前記プリンターに搭載すること、そして
Ｄ）前記デジタル信号に応答させて前記インクジェットインク組成物を用いて前記画像受容層上に印刷すること、
の各工程を含んで成るインクジェット印刷方法に関する。
【００１３】
【発明の実施の形態】
本発明に有用な（ａ）粒子の例には、アルミナ、ベーマイト、クレー、炭酸カルシウム、二酸化チタン、焼成クレー、アルミノシリケート、シリカ、硫酸バリウム、又はポリマービーズが含まれる。これらの粒子は多孔性であっても、非多孔性であってもよい。本発明の好ましい態様では、粒子は金属酸化物であって、好ましくは煙処理されたものである。多くの種類の無機及び有機粒子が画像受容層のために多種多様の方法によって製造され、また市販されているが、インク受容層の多孔性が非常に高速なインク乾燥を得るためには必要である。粒子間に形成される孔は、印刷インクがこの層を素早く通り、外面から離れて高速乾燥の印象を与えるように、十分に大きく且つ相互に連結されていなければならない。同時に、粒子間に形成された孔が可視光を散乱しないように十分に小さくなるように配列されねばならない。
【００１４】
（ａ）粒子は一次の形態又は二次凝集粒子の形態となることができる。この凝集体は直径が７〜４０ｎｍのより小さな一次粒子を含んで成り、直径が最大３００ｎｍまで凝集される。そのような凝集体の乾燥コーティング中の孔は、低光学散乱であってなおも十分なインク溶剤吸い上げを確実にするのに必要な範囲内に入る。
【００１５】
（ａ）粒子として、本発明に用いることができる煙処理された金属酸化物の好ましい例には、アルミナのヒュームド酸化物が含まれる。ヒュームド酸化物は、乾燥形態又は上述の凝集体の分散物として入手可能である。
【００１６】
本発明に有用な（ｂ）少なくとも２０モル％のカチオン性媒染剤部分を含む水不溶性のカチオン性ポリマー粒子は、ラテックス、水分散性ポリマー、ビーズ、又はコアが有機もしくは無機でありシェルがいずれの場合でもカチオン性ポリマーであるコア／シェル粒子の形態となることができる。そのような粒子は、付加重合もしくは縮合重合、又は両方の組合せの生成物となることができる。それらは、直鎖、分枝鎖、過剰分枝鎖、グラフト、ランダム、ブロックとなることができ、また当該技術分野で周知の他のポリマー微細構造を有することができる。また、それらは部分的に架橋されていてもよい。本発明に有用なコア／シェル粒子の例は、Lawrence等の米国特許出願第09/772,097号明細書（発明の名称：インクジェット印刷法、2000年1月26日出願、ドケットNo. 81894HEC）に記載されている。本発明に有用な水分散性粒子の例は、Lawrence等の米国特許出願第09/770,128号明細書（発明の名称：インクジェット印刷法、2000年1月26日出願、ドケットNo. 81815HEC）及びLawrence等の米国特許出願第09/770,127号明細書（発明の名称：インクジェット印刷法、2000年1月26日出願、ドケットNo. 81817HEC）に記載されている。好ましい態様では、水不溶性のカチオン性ポリマー粒子は少なくとも５０モル％のカチオン性媒染剤部分を含む。
【００１７】
本発明に有用な（ｂ）水不溶性のカチオン性ポリマー粒子は、非イオン性、アニオン性、又はカチオン性モノマーから誘導することができる。好ましい態様では、非イオン性モノマーとカチオン性モノマーとの組合せを用いる。一般的に、この組合せで用いるカチオン性モノマーの量は、少なくとも２０モル％である。
【００１８】
使用する非イオン性、アニオン性、又はカチオン性モノマーは、付加重合性モノマー、例えば、スチレン、α−アルキルスチレン、アルコール又はフェノールから誘導されるアクリレートエステル、メタクリレートエステル、ビニルイミダゾール、ビニルピリジン、ビニルピロリジノン、アクリルアミド、メタクリルアミド、直鎖及び分枝鎖酸から誘導されるビニルエステル（例えば、酢酸ビニル）、ビニルエーテル（例えば、ビニルメチルエーテル）、ビニルニトリル、ビニルケトン、ハロゲン含有モノマー（例えば、塩化ビニル）及びオレフィン類（例えば、ブタジエン）の中性又はカチオン性誘導体を含むことができる。
【００１９】
使用する非イオン性、アニオン性、又はカチオン性モノマーは、縮合重合性モノマー、例えば、ポリエステル、ポリエーテル、ポリカーボネート、ポリウレア及びポリウレタンを調製するのに用いられるものの中性又はカチオン性誘導体も含むことができる。
【００２０】
本発明に有用な（ｂ）水不溶性のカチオン性ポリマー粒子を、バルク、溶液、乳剤、又は懸濁重合（これらに限定されない）を含む通常の重合技法を用いて調製することができる。
【００２１】
使用する（ｂ）水不溶性のカチオン性ポリマー粒子の量は、記録要素上に印刷される画像が十分に高い濃度を有するように十分に多く、しかし凝集体によって形成された相互に連結した孔構造がふさがれないように十分少ない量であるのがよい。本発明の好ましい態様では、（ａ）粒子に対する（ｂ）水不溶性のカチオン性ポリマー粒子の質量比は、１：２〜１：１０であり、好ましくは、１：５である。
【００２２】
本発明に使用することができる（ｂ）水不溶性のカチオン性ポリマー粒子の例には、米国特許第3,958,995号明細書に記載されているものが含まれる。これらのポリマーの具体例には以下のものが含まれる。
ポリマーＡ：（ビニルベンジル）トリメチルアンモニウムクロライド及びジビニルベンゼンのコポリマー（モル比８７：１３）。
ポリマーＢ：スチレン、（ビニルベンゼン）ジメチルベンジルアミン及びジビニルベンゼンのターポリマー（モル比４９．５：４９．５：１．０）。
ポリマーＣ：ブチルアクリレート、２−アミノエチルメタクリレートヒドロクロライド及びヒドロキシエチルメタクリレートのターポリマー（モル比５０：２０：３０）。
ポリマーＤ：スチレン、ジメチルアクリルアミド、ビニルベンジルイミダゾール及び１−ビニルベンジル−３−ヒドロキシエチルイミダゾリウムクロライドのコポリマー（モル比４０：３０：１０：２０）。
ポリマーＥ：スチレン、４−ビニルピリジン及びＮ−（２−ヒドロキシエチル）−４−ビニルピリジニウムクロライドのコポリマー（モル比３０：３８：３２）。
ポリマーＦ：スチレン、（ビニルベンジル）ジメチルオクチルアンモニウムクロライド、イソブトキシメチルアクリルアミド及びジビニルベンゼン（モル比４０：２０：３４：６）。
【００２３】
本発明の好ましい態様では、画像受容層は多孔性受容層の多孔性を変えるには不十分な量のポリマーバインダーも含有する。本発明の別の態様では、ポリマーバインダーは、ポリビニルアルコール、ポリビニルピロリドン、ゼラチン、セルロースエーテル、ポリオキサゾリン、ポリビニルアセトアミド、部分的に加水分解されたポリビニルアセテート／ビニルアルコール、ポリアクリル酸、ポリアクリルアミド、ポリアルキレンオキシド、スルホン化又はリン酸化ポリエステル及びポリスチレン、カゼイン、ゼイン、アルブミン、キチン、キトサン、デキストラン、ペクチン、コラーゲン誘導体、コロジオン、寒天、クズウコン、ガーゴム、カラゲナン、トラガカント、キサンタン、ラムサン（rhamsan）、等の親水性ポリマーである。
【００２４】
本発明の別の好ましい態様では、親水性ポリマーは、ポリビニルアルコール、ヒドロキシプロピルセルロース、ヒドロキシプロピルメチルセルロース、ゼラチン、又はポリアルキレンオキシドである。さらに別の好ましい態様では、親水性バインダーはポリビニルアルコールである。このポリマーバインダーは前述の粒子と適合するように選択すべきである。
【００２５】
使用するバインダーの量は、インクジェット記録要素に結合力を与えるのに十分であるべきであるが、しかし凝集体によって形成された相互に連結した孔構造がバインダーによってふさがれないような最小量であるべきである。本発明の好ましい態様では、粒子総量に対するバインダーの質量比は１：２０〜１：５である。
【００２６】
画像受容層に加えて、記録要素は支持体の次にベース層も有することができ、その機能はインクから溶媒を吸収することである。この層に有用な材料には、（ａ）粒子、（ｂ）粒子、ポリマーバインダー、及び／又は架橋剤である。
【００２７】
画像受容層は粒子を含んだ多孔性層であるので、その空隙容量は全ての印刷インクを吸収するのに十分でなければならない。例えば、多孔性層が６０容量％開孔を有する場合、３２ｃｃ／ｍ2のインクを直ちに吸収するためには、画像受容層は少なくとも５４μｍの物理的な厚みを有しなければならない。
【００２８】
本発明に用いられるインクジェット記録要素の支持体はインクジェット受容体に通常用いられるもの、例えば、樹脂コート紙、紙、ポリエステル、又は商品名Teslin（商標）(PPG Industries, Inc., ピッツバーグ、ペンシルバニア)で販売されているポリエチレンポリマー含有材料、Tyvek（商標）合成紙（DuPont Corp.）、及びOppalyte（商標）フィルム（Mobil Chemical Co.）等の微多孔性材料並びに米国特許第5,244,861号明細書に記載されているような他の複合フィルム等となることができる。不透明支持体には、普通紙、コート紙、合成紙、写真用紙支持体、溶融押出コート紙、及び積層紙（例えば、二軸延伸支持体積層物）が含まれる。二軸延伸支持体積層物は米国特許第5,853,965号、同第5,866,282号、同第5,874,205号、同第5,888,643号、同第5,888,681号、同第5,888,683号及び同第5,888,714号明細書に記載されている。これらの二軸延伸支持体は、紙ベース及び紙ベースの一方又は両面に積層された二軸延伸ポリオレフィンシート、典型的に、ポリプロピレンを含む。
【００２９】
透明支持体には、ガラス、セルロース誘導体（例えば、セルロースエステル、三酢酸セルロース、二酢酸セルロース、酢酸プロピオン酸セルロース、酢酸酪酸セルロース）、ポリエステル（例えば、ポリエチレンテレフタレート、ポリエチレンナフタレート、ポリ１，４−シクロヘキサンジメチレンテレフタレート、ポリブチレンテレフタレート、及びそれらのコポリマー）、ポリイミド、ポリアミド、ポリカーボネート、ポリスチレン、ポリオレフィン（例えば、ポリエチレン又はポリプロピレン）、ポリスルホン、ポリアクリレート、ポリエーテルイミド、並びにこれらの混合物が含まれる。上記した紙には、ハイエンド紙（例えば写真用紙）からロウエンド紙（例えば新聞紙）までの多種多様な紙が含まれる。
【００３０】
本発明に用いる支持体は、５０〜５００μｍ、好ましくは、７５〜３００μｍの厚みを有することができる。必要ならば、酸化防止剤、帯電防止剤、可塑剤及び他の既知の添加物を支持体中に導入してもよい。
支持体に対するインク受容層の接着性を改善するために、画像受容層を適用する前に、支持体の表面をコロナ放電処理してもよい。
【００３１】
本発明に用いるコーティング組成物を、例えば、ディップコーティング、巻ワイヤロッドコーティング、ドクターブレードコーティング、グラビアコーティング及びリバースロールコーティング、スライドコーティング、ビードコーティング、押出コーティング、カーテンコーティング等の多くの周知の技法によって適用することができる。公知のコーティング及び乾燥方法は、リサーチディスクロージャー（Research Disclosure）、No. 308119、1989年12月発行、1007-1008頁に詳細に記載されている。スライドコーティングが好ましく、ベース層及びオーバーコートを同時に適用してもよい。コーティング後、この層を簡単な蒸発によって一般的に乾燥し、対流加熱のような公知の技法によって促進することができる。
【００３２】
インクジェット記録要素に機械的な耐久性を付与するために、上記バインダーに関して作用する架橋剤を少量加えてもよい。そのような添加剤は層の結合力を向上させる。カルボジイミド、多官能性アジリジン、アルデヒド、イソシアネート、エポキシド、多価金属カチオン等の架橋剤は全て用いることができる。
【００３３】
着色剤褪色を改善するために、当該技術分野で公知のように、ＵＶ吸収剤、ラジカル消光剤又は酸化防止剤を画像受容層に添加してもよい。他の添加剤には、ｐＨ改良剤、接着促進剤、レオロジー改良剤、界面活性剤、殺性剤、滑剤、染料、蛍光増白剤、艶消し剤、帯電防止剤等が含まれる。十分なコータビリティを得るために、そのような分野で良く知られている添加剤、例えば、界面活性剤、消泡剤、アルコール等を用いることができる。塗布助剤の通常の量は、総溶液質量の０．０１〜０．３０％の活性塗布助剤の量である。これらの塗布助剤は、非イオン性、アニオン性、カチオン性又は両性となることができる。具体的な例は、MCCUTCHEON第１巻"Emulsifiers and Dtergents", 1995, 北米版に記載されている。
【００３４】
コーティング組成物を水又は有機溶剤からコートすることができるが、水が好ましい。総固形分含有率は、最も経済的な方法で有用なコーティング厚を生じるように選択すべきである。具体的なコーティング配合物では、固形分は１０〜４０％が一般的である。
【００３５】
本発明の記録要素に像形成するのに使用されるインクジェットインクは当該技術分野において周知である。一般的にインクジェット印刷において使用されるインク組成物は、溶媒又はキャリア液体、染料又は顔料、湿潤剤、有機溶媒、洗浄剤、増粘剤、防腐剤などを含んでなる液体組成物である。溶媒又はキャリア液体は単なる水とすることができ、又は多価アルコールなどの他の水混和性溶媒と混合された水とすることもできる。また、多価アルコールなどの有機材料が主たるキャリア又は溶媒液体であるインクを使用してもよい。特に有用なものは、水と多価アルコールとの混合溶媒である。このような組成物において使用される染料は、一般的に、水溶性の直接染料又は酸型染料である。このような液体組成物は、例えば、米国特許第4、381,946号、同4,239,543号、及び同4,781,758号の各明細書（引用することにより本明細書の内容とする）を含む従来技術に広範に記載されている。
【００３６】
【実施例】
次の例により、本発明をさらに具体的に説明する。
使用した以下の比較カチオン性ポリマーは水溶性である。
Ｃ−１：ポリ（ビニルベンジル）トリメチルアンモニウムクロライド（商品名Chemistat（商標）6300H、Sanyo Chemical Industries）。
Ｃ−２：ポリ（３−Ｎ，Ｎ，Ｎ−トリメチル）プロピルメタクリルアミドクロライド（商品名Polycare（商標）133、Rhone-Poulenc Co.）。
Ｃ−３：ポリプロピレンオキシド系トリアミン（商品名Jeffamine（商標）Ｔ-5000、Huntsman, Corp.）。
【００３７】
Ｃ−４：ポリエチレンポリアミン樹脂（商品名Niccajet（商標）117、Nicca USA）。
Ｃ−５：ポリエチレンイミン（商品名Lupasol（商標）PEI、BASF Corp.）。
Ｃ−６：ポリ（ジアリルジメチルアンモニウムクロライド）（商品名Merquat（商標）100、Calgon Corp.）。
Ｃ−７：ポリ［Ｎ−［３−（ジメチルアミノ）プロピル］−Ｎ’−［３−エチレンオキシエチレンジメチルアンモニオ］プロピル］ウレアジクロライド］（商品名Mirapol（商標）WT、Rhone-Poulenc Co.）。
【００３８】
使用した次の比較（ｂ）カチオン粒子は無機物であって水不溶性である。
Ｃ−８：アルミナコートコロイドシリカの無機分散物（商品名Ludox（商標）CL、E.I. du Pont de Nemours and Co.）。
使用した次の比較（ｂ）水不溶性、カチオン性、ポリマー粒子は２０モル％未満のカチオン媒染剤部分を有した。
Ｃ−９：ブチルアクリレート、２−アミノエチルメタクリレートヒドロクロライド及びヒドロキシエチルメタクリレートのコポリマー（モル比７０／５／２５）。
【００３９】
本発明の要素
ベース層用のコーティング溶液を、ヒュームドアルミナ（Cab-O-Sperse（商標）PG003、Cabot Corp.）、ポリビニルアルコール（Gohsenol（商標）GH-23A、Nippon Gohsei Co., Ltd.）及び２，３−ジヒドロキシ−１，４−ジオキサン（Clariant Corp.）を８８：１０：２の比率で混合して調製し、固形分３０質量％の水性コーティング配合物を得た。
【００４０】
画像受容層用のコーティング溶液を、ヒュームドアルミナ（Cab-O-Sperse（商標）PG003、Cabot Corp.）、ポリビニルアルコール（Gohsenol（商標）GH-23A、Nippon Gohsei Co., Ltd.）及びポリマーＡを８５：３：１２の比率で混合して調製し、固形分１０質量％の水性コーティング配合物を得た。ヒュームドアルミナ粒子は７〜４０ｎｍの直径の一次粒径を有し、最大１５０ｎｍまで凝集した。界面活性剤Zonyl（商標）FSN（E.I. du Pont de Nemours and Co.）及びOlin（商標）10G（Dixie chemical Co.）を塗布助剤として少量添加した。
【００４１】
上記コーティング溶液を、前もってコロナ放電処理にかけたポリエチレンコート紙ベース上に４０℃で同時にビードコートした。画像受容層をベース層の最上部にコートした。そして、この被膜を強制空気で６０℃で乾燥して、底部層と最上部層の厚みがそれぞれ４０μｍ（４３ｇ／ｍ2）及び２μｍ（２．２ｇ／ｍ2）である２層記録要素を得た。
【００４２】
本発明の要素２
ポリマーＡの代わりにポリマーＢを用いた以外は、要素１と同様に要素２を調製した。
本発明の要素３
画像受容層におけるヒュームドアルミナ対ポリ（ビニルアルコール）対ポリマーＡの比が７３：６：２１であった以外は、要素１と同様に要素３を調製した。
【００４３】
比較要素１
ポリマーＡの代わりにポリマーＣ−１を用いた以外は、要素１と同様にこの要素を調製した。
比較要素２
ポリマーＡの代わりにポリマーＣ−２を用いた以外は、要素１と同様にこの要素を調製した。
【００４４】
比較要素３
ポリマーＡの代わりにポリマーＣ−３を用いた以外は、要素１と同様にこの要素を調製した。
比較要素４
ポリマーＡの代わりにポリマーＣ−４を用いた以外は、要素１と同様にこの要素を調製した。
【００４５】
比較要素５
ポリマーＡの代わりにポリマーＣ−５を用いた以外は、要素１と同様にこの要素を調製した。
比較要素６
ポリマーＡの代わりにポリマーＣ−６を用いた以外は、要素１と同様にこの要素を調製した。
【００４６】
比較要素７
ポリマーＡの代わりにポリマーＣ−７を用いた以外は、要素１と同様にこの要素を調製した。
比較要素８
ポリマーＡの代わりにポリマーＣ−８を用いた以外は、要素１と同様にこの要素を調製した。
【００４７】
比較要素９
画像受容層がヒュームドアルミナだけを含んでいた以外は、要素１と同様にこの要素を調製した。
比較要素１０
画像受容層がヒュームドアルミナ及びポリ（ビニルアルコール）（９８：２）だけを含んだ以外は、要素１と同様にこの要素を調製した。
【００４８】
比較要素１１
ヒュームドアルミナ対ポリ（ビニルアルコール）の比が９０：１０であった以外は、比較要素１０と同様にこの要素を調製した。
比較要素１２
ポリマーＡの代わりにポリマーＣ−９を用いた以外は、要素３と同様にこの要素を調製した。
【００４９】
濃度試験
１００％インクレイダウンで、シアン、マゼンタ、イエロー、赤、緑及び青パッチの画像を、Epson Stylus（商標）Color 740を使って、カタログ番号S020191のインクで印刷するか、またはEpson Stylus（商標）Photo 870を使って、カタログ番号T008201のインクで印刷した。
【００５０】
周囲温度と湿度で２４時間乾燥後、ステータスＡ Ｄmax濃度を、X-Rite（商標）820デンシトメータを使って以下のように測定した（赤、緑及び青濃度では、２個の構成部分カラー濃度を測定し平均した）。
【００５１】
【表１】
0003939990.tif 000002
【００５２】
【表２】
0003939990.tif 000003
【００５３】
上記結果は、対照要素と比較すると、本発明の記録要素ではほとんどの色において印刷濃度が高いことを示している。